(57)【特許請求の範囲】
【請求項１】
感光材料を収納する収納室と、この収納室を開閉する蓋部材と、収納室内の感光材料の感光面にプリント光を照射して感光させるプリント手段と、感光済みの感光材料を機器外に排出しながら現像する現像手段と、この現像手段を駆動する搬送モータによって、蓋部材を閉じ位置で係止する係止状態と蓋部材の係止を解除して開放できるようにする解除状態との間で切り換えられる蓋開閉機構とからなることを特徴とするプリンタ。
【請求項２】
前記搬送モータは、第１の方向への回転で現像手段を駆動し、第２の方向への回転で蓋開閉機構を駆動することを特徴とする請求項１記載のプリンタ。
【請求項３】
前記収納室内の感光材料の残数をカウントするカウント手段を設け、前記蓋開閉機構は、前記蓋部材の開放操作に応じて前記カウント手段を参照し、前記収納室内に前記感光材料が残っている場合には、前記解除状態への切り換えを行わないことを特徴とする請求項１または２記載のプリンタ。
【請求項４】
前記現像手段と前記搬送モータとの間に、前記搬送モータの第２の方向への回転を前記現像手段に遅れて伝達する遅延伝達手段を設けたことを特徴とする請求項２または３いずれか記載のプリンタ。
【請求項５】
感光材料を収納する収納室と、この収納室を開閉する開放位置及び閉じ位置の間で回動自在な蓋部材と、収納室内の感光材料の感光面にプリント光を照射して感光させるプリント手段と、感光済みの感光材料を機器外に排出しながら現像する現像手段と、この現像手段を駆動する搬送モータとを備えたプリンタにおいて、
前記プリント手段による前記感光材料への感光終了後に前記搬送モータを第１の方向に回転させて前記現像手段を駆動させ、前記蓋部材を開放するための開放操作時に前記搬送モータを第２の方向に回転させるシステムコントローラと、
前記蓋部材を閉じ位置で係止し、前記搬送モータの第２の方向への回転により前記蓋部材の係止を解除する蓋開閉機構と、
前記現像手段と前記搬送モータの間に設けられ、前記蓋開閉機構による前記蓋部材の係止解除中に、前記搬送モータの第２の方向への回転を前記現像手段に伝達しない遅延伝達手段とを設けたことを特徴とするプリンタ。
【請求項６】
前記収納室内の感光材料の残数をカウントするカウント手段を設け、前記システムコントローラは、前記蓋部材を開放するための開放操作に応じて前記カウント手段を参照し、前記収納室内に感光材料が残っているときには、前記搬送モータを第２の方向に回転させないことを特徴とする請求項１記載のプリンタ。
【発明の詳細な説明】
【０００１】
【発明の属する技術分野】
本発明は、記録媒体に感光材料を使用するプリンタに関するものである。
【０００２】
【従来の技術】
特開平１１−１２７４０９号公報等により、プリンタ機構を内蔵した電子スチルカメラが公知である。上記公報記載のプリンタ内蔵型電子スチルカメラはプリンタ機構として光プリンタを内蔵し、記録媒体としてモノシートタイプのインスタントフイルムを使用している。光プリンタは、現状の熱転写型，熱昇華型などのサーマルプリンタと比較して消費電力が小さく、したがって内蔵電池でどこでも簡単に利用することができる。また、インクジェットプリンタでは必要となるインクの管理なども不要で、全くメンテナンスフリーで使用できる利点がある。
【０００３】
記録媒体となるインスタントフイルムは、一般のインスタントカメラと同様にフイルムパック単位で取り扱われる。このフイルムパックは、プリンタ内蔵型電子スチルカメラに設けられたパック室にフイルムパックごと装填される。パック室内は、蓋部材であるパック室蓋が閉じられることにより遮光され、このパック室内においてインスタントフイルムに露光が行われる。
【０００４】
【発明が解決しようとする課題】
上記プリンタ内蔵型電子スチルカメラは、撮像した画像を画像データとして画像メモリ内に保存し、この画像メモリ内の画像データから選択してプリントを行う。そのため、撮像自体は、フイルムパックが装填されていなくても行えるようになっている。このことから、パック室内にフイルムパックが装填されているか否か、装填されている場合にインスタントフイルムの残量がどの程度であったかという意識が従来のインスタントカメラに比べて薄くなり、誤ってパック室蓋を開放してしまうことがあった。
【０００５】
本発明は、上記問題点を解決するためのもので、インスタントフイルムが装填されている際のパック室蓋の開放を防止することを目的とする。
【０００６】
【課題を解決するための手段】
上記問題点を解決するために、本発明のプリンタは、収納室内の感光材料の残数をカウント手段にてカウントしておき、蓋部材を開放する操作が行われた際にはカウント手段を参照し、収納室内に感光材料が残っている場合には、蓋部材を開放可能とする蓋開閉機構の解除状態への切り換えを行わないようにしたものである。
【０００７】
また、蓋開閉機構を係止状態と解除状態との間の切り換えに、電磁機器を駆動源として利用するようにした。更に、現像手段と電磁機器との間には、電磁機器の駆動力を現像手段に遅れて伝達する遅延伝達手段を組み込んだものである。
【０００８】
また、現像手段を駆動する搬送モータによって、蓋開閉機構を駆動するようにしたものである。この搬送モータは、第１の方向への回転で現像手段を駆動し、第２の方向への回転で蓋開閉機構を駆動させる。
【０００９】
【発明の実施の形態】
以下、本発明を用いたプリンタ内蔵型電子スチルカメラの実施形態について説明する。図１，図２は、プリンタ内蔵型電子スチルカメラ（以下、カメラと省略する）２の前面側及び背面側の外観を示し、図３は、該カメラ２の構成を概略的に示すブロック図である。カメラ２は、各種撮像機構，プリンタ機構等が組み込まれたフレーム部材と、このフレーム部材の外側を覆う外装カバーである前面カバー３，背面カバー４とからなる。
【００１０】
カメラ２の前面側方には、グリップ部６と、レリーズボタンと、撮像窓８と、光学ファインダの対物窓９とが縦方向に並んで設けられている。グリップ部６は、カメラ２の保持に使用される。レリーズボタン７は、グリップ部６を握持した右手人指し指で操作しやすいように、押圧面が傾斜して配置されている。撮像窓８は透明なカバーガラスで覆われており、その奥には、撮影レンズ９と、シャッタ機構及び絞り機構と、撮影レンズ９を通過した被写体光が結像されるＣＣＤ１０とが組み込まれている。対物窓１０の奥には、像正立用のポロプリズムを含む実像式ファインダが組み込まれている。
【００１１】
レリーズボタン９を操作すると、内部に組み込まれたレリーズスイッチ１２がオンすし、この操作時点でＣＣＤ１０上に結像されていた被写体光が撮像され、画像データに変換されて画像メモリ１３、あるいはメモリカード１４に記録される。画像メモリ１３は、カメラ２内に組み込まれており、内部処理用の専用形式の画像データが記録される。メモリカード１４は、カメラ２の底面に設けられたメモリカードスロットにセットされる増設用画像メモリであり、パーソナルコンピュータやプリンタ等で利用可能な汎用形式の画像データが記録される。なお、メモリカードスロットは、常態ではスロットカバー１６に覆われて保護されている。
【００１２】
カメラ２の前面上方には、ストロボ発光部１８が設けられている。ストロボ発光部１８の横には測光窓１９が形成され、その内部にフォトセンサが組み込まれている。このフォトセンサは、ストロボ発光時に被写体から反射されてくるストロボ光を受光し、その光量積分値が適正レベルに達するとストロボ発光部１８からのストロボ発光を停止させる。
【００１３】
ストロボ発光部１８の下方には、下端縁が軸着されて開閉自在とされた蓋部材であるパック室蓋２１が取り付けられている。図４に示すように、パック室蓋２１の奥には、フイルムパック２４が装填される収納室であるパック室２５が設けられている。パック室蓋２１は、開放ボタン２２を所定時間以上押圧操作し、内部に組み込まれたパック室蓋開放スイッチ２３が所定時間オンすると、カメラ２内に組み込まれた蓋開閉機構が作動し、電気的にパック室蓋２１のロック解除が行われる。これにより、上端を手前側に回動させるようにしてパック室蓋２１を開くことができる。なお、パック室２５内にフイルムパック２４が装填され、未だ未使用のインスタントフイルムが残っている場合には、開放ボタン２２の操作がキャンセルされ、ロック解除は行われない。また、警告音とともに後述するＬＣＤパネルに警告表示がなされる。
【００１４】
パック室蓋２１は板形状であり、その内面には、蓋開閉機構を構成する係止爪２８によって係止される被係止爪２７と、フイルムパック２４の背面に形成された押圧開口２４ａに挿入される押圧部材２９とが設けられている。押圧部材２９は、パック室２５にフイルムパック２４を装填してパック室蓋２１を閉じた際に、押圧開口２４ａからフイルムパック２４内に挿入される。挿入された押圧部材２９は、押圧開口２４ａを内側から塞いでいる板バネを介してインスタントフイルムを押圧し、押圧開口２４ａと反対側の面に形成された露光開口にインスタントフイルムを密着させる。これにより、インスタントフイルムの平面性が向上し、プリント画質が向上する。パック室蓋２１の外面には、グリップ時に指滑りの防止に使用される凹部が多数形成されている。
【００１５】
パック室２５内には、フイルムパック２４に収納されたインスタントフイルムにプリントを行うプリント手段と，露光済みのインスタントフイルムを現像する現像手段と、パック室蓋２１のロックとロック解除とを行う蓋開閉機構とが組み込まれている。プリント手段としては、インスタントフイルムにプリント光を照射するプリントヘッド３１と、このプリントヘッド３１を移動させるヘッド走行機構３２等からなる。
【００１６】
詳しくは図示しないが、プリントヘッド３１は、フイルムパックの露光開口と対面するようにパック室２５内に組み込まれており、露光開口から露呈されるインスタントフイルムの露光面にプリントを行う。プリントヘッド３１は、フイルムユニットの搬送方向と直交する向きにドットセグメントの透過型液晶を多数配列した液晶アレイと、これらにライン状の白色照明光を照射する発光体と、液晶アレイと発光体との間に設けられた赤色透過域、緑色透過域，青色透過域の３種類の区域を備えたカラーフィルタとを内蔵している。
【００１７】
カラーフィルタは、プリントヘッド３１が露光面を１スキャンするごとに、順次に発光体と液晶アレイとの間に挿入される。これにより、プリントヘッド３１からは、赤色，緑色，青色のプリント光がインスタントフイルムに向けて放射され、３色面順次でフルカラー画像が露光される。
【００１８】
ヘッド走行機構３２は、プリントヘッド３１をインスタントフイルム３０の搬送方向に沿って一定速度で移動させ、プリントヘッド３１をインスタントフイルムの露光面の全域に対面させる。このヘッド走行機構３２は、例えば、フイルムユニットの長手方向の長さよりも離れて配置された一対のプーリーと、これらのプーリーに掛けられてプリントヘッド３１が固定された搬送ベルトと、プーリーを回転させて搬送ベルトを移動させる走行用モータとからなる。走行用モータとしては、例えばステッピングモータが用いられる。
【００１９】
また、パック室２５内にはパック室蓋２１の開閉状態を検出するパック室蓋開閉検出スイッチ３４と、パック室２５内のフイルムパックの有無を検出するフイルムパック検出スイッチ３５等も組み込まれている。
【００２０】
カメラ２上面には、常態では閉じている排出ドア３７が設けられている。この排出ドア３７の内部には、インスタントカメラで周知の一対の展開ローラが組み込まれている。排出ドア３７は、露光済みのインスタントフイルムが展開ローラによって排出される際に、インスタントフイルムの先端に押圧されて外側に開放される。
【００２１】
カメラ２の背面には、ＬＣＤパネル３９，電源スイッチ４０，切り換えダイヤル４１，プリントボタン４２，カウント表示部４３等の各種表示部と入力操作部とが配置されたコントロールパネル４４が設けられている。ＬＣＤパネル３９は、記録されている画像の表示や、コントロールパネル４４の操作情報の表示の他に、撮像レンズ９を通して撮像された被写体画像をリアルタイムに表示することでビューファインダとしても使用される。なお、撮像モード時には、ＬＣＤパネル３９２１を利用する代わりに、ファインダ接眼窓４６を通して被写体画像を光学的に観察することも可能で、電池の消耗を避ける上で有効である。
【００２２】
切り換えダイヤル４１は、カメラ２のモードをカメラモード／プリンタモードなどの間で切り換えたり、各種設定時の項目選択等に使用される。カウント表示部４３はモノクロのＬＣＤパネルからなり、装填されているインスタントフイルムの残り枚数の表示を行う。
【００２３】
カメラ２の底面には、前述したメモリカードスロットを覆うスロットカバーと１６、電池装填蓋４８と、三脚ネジ（雌ネジ）４９とが設けられている。スロットカバー１６は、操作部材５０のスライド操作によって電池装填蓋４８の奥には、グリップ部６の形状を利用して電池室が設けられており、内蔵電源として用いられる例えば４本の単３乾電池の交換を行うことができる。
【００２４】
図５は、カメラのフレーム部材５２の外観形状を示す。フレーム部材５２は、カメラ２を構成する各種撮像機構やプリンタ機構が組み込まれる基本部品であり、フイルムパック２４が装填されるパック室２５が一体に設けられている。パック室２５の底面には、フイルムパック２４の露光開口よりも大きな開口５３が形成されており、この開口５３の周囲の面でフイルムパック２４の前面を受け止めて支持する。プリントヘッド３１やヘッド走行機構３２は、開口５３の下方に組み込まれる。
【００２５】
カメラ２の上面に相当するフレーム部材５２の側面には、排出ドア３７とパック室２５との間を連絡する排出通路５５が設けられている。パック室２５内で露光されたインスタントフイルムは、現像手段を構成するクロー機構によって排出通路５５内に送り出される。クロー機構は、従来のインスタントカメラに使用されているものと同様のものであり、フイルムパック２４に進入してインスタントフイルムの下端に当接するクロー爪と、このクロー爪をインスタントフイルムの搬送方向に沿って移動させる駆動機構とからなる。駆動機構によって移動されたクロー爪は、インスタントフイルムの下端を押圧し、インスタントフイルムの先端がフイルムパック２４の排出口２４ｂを出て排出通路５５に入る方向に送り出す。
【００２６】
排出通路５５内には、現像手段を構成する一対の展開ローラが組み込まれている。展開ローラは、モータによって駆動回転される駆動側ローラと、この駆動側ローラに従動して反対方向に回転する従動側ローラとからなる。排出通路に送り出されたインスタントフイルムは、その先端が駆動側ローラと従動側ローラとの間に挟み込まれ、展開ローラの回転によって排出ドア１６まで搬送される。この展開ローラによる搬送時に、フイルムユニットのポッド部が裂開され、内包されていた現像液が露光面上に流し込まれる。展開ローラは、均一な厚みで露光面の全域に広がるように現像液を展延する。
【００２７】
なお、排出通路５５内には、排出時のインスタントフイルムを検出するフイルム検出スイッチ７０が組み込まれている。このフイルム検出スイッチ７０でインスタントフイルムが検出されるたびに、インスタントフイルムの残り枚数をカウントするフイルムカウンタ７１が減算される。
【００２８】
図５及び図６に示すように、フレーム部材５２の上面のパック室２５の外周とパック室２５の側壁内とには、ロックレバー５７，スライドレバー５８，回動レバー５９，レバー位置検出スイッチ６０，付勢レバー６１，駆動側カムギヤ６２，従動側カムギヤ６３等からなる蓋開閉機構が組み込まれている。駆動側カムギヤ６２に噛合しているギヤ６４には、クロー機構の駆動源となる搬送モータ６５の回転が入力され、従動側カムギヤ６３に噛合しているギヤ６６は展開ローラに回転を出力する。すなわち、現像手段と蓋開閉機構と展開ローラとは共通の搬送モータ６５によって駆動され、この搬送モータ６５の回転力を伝達するギヤは、各機構において共有されている。なお、これらのギヤは、回転軸６８ａが立設された支持プレート６８に支持されてパック室２５内の側壁に組み込まれる。支持プレート６８の外側の面は、パック室２５の内壁面の一部を構成する。
【００２９】
ロックレバー５７は、細長い板状であり、２個の長穴５７ａ，５７ｂが形成されている。これらの長穴５７ａ，５７ｂには、フレーム部材５２の上面に形成されたピン５２ａ，５２ｂがそれぞれ挿通され、ピン５２ａ，５２ｂに沿って長穴５７ａ，５７ｂの長さの範囲内でスライド可能とされている。ロックレバー５７の一方の側面には、パック室蓋２１の被係止爪２７に係止する係止爪２８と、パック室蓋２１を開放する際に被係止爪２７に当接する傾斜片７３とが一体に形成されている。また、ロックレバー５７の他方の側面にはバネ掛けピン７４が一体に設けられており、このバネ掛けピン７４にはロックレバー５７を図中左方のロック位置に向けて付勢するロックバネ７５が掛けられている。
【００３０】
ロックレバー５７は、ロックバネ７５の付勢によって常態では図中左方のロック位置にある。被係止爪２７と係止爪２８との断面図である図７（Ａ）に示すように、このロック位置では、係止爪２８は被係止爪２７に係止してパック室蓋２１の開放が阻止されている。図８に示すように、ロックレバー５７がロックバネ７５の付勢に抗して図中右方の解除位置にスライドされると、図７（Ｂ）に示すように、係止爪２８は被係止爪２７に係合する位置から移動し、被係止爪２７の係止が解除される。更に、このときにロックレバー５７の傾斜片７３が被係止爪２７に当接し、傾斜を利用してパック室蓋２１が開放される方向に被係止爪２７を押圧する。
【００３１】
詳しくは図示しないが、パック室蓋２１の軸着されている下端付近は、板バネ等によって開放方向に付勢されているため、ロックレバー５７がロック位置に復帰する際に傾斜片７３からの押圧が解除されても、被係止爪２７が係止爪２８に噛合する方向にまで入り込むことはなく、パック室蓋２１のロック解除状態が維持される。また、パック室蓋２１を閉じる際に、パック室蓋２１を閉じ位置に押圧するだけで被係止爪２７と係止爪２８との係止が行われるように、被係止爪２７と係止爪２８との当接部分には、ロックレバー５７を解除位置に向けてスライドさせる作用が得られる傾斜面が形成されている。
【００３２】
ロックレバー５７の後端５７ｃは円弧形状とされており、傾斜面にされたスライドレバーの先端５８ｃは、ロックレバー５７の後端５７ｃに当接されている。このスライドレバー５８にも２個の長穴５８ａ，５８ｂが形成されており、フレーム部材５２の上面に形成されたピン５２ｃ，５２ｄがそれぞれ挿通され、ピンに５２ｃ，５２ｄ沿って長穴５８ａ，５８ｂの長さの範囲内でスライド可能とされている。スライドレバー５８は、ロックバネ７５に付勢されたロックレバー５７に押圧されて図５に示す初期位置にある。回動レバー５９が図中時計方向に回動すると、回動レバー５９に後端が押圧されてスライドし、先端５８ｃの傾斜面でロックレバー５７の後端５７ｃを押圧して解除位置にスライドさせる。
【００３３】
回動レバー５９は、例えば金属薄板を屈曲して形成されており、上述したスライドレバー５８を押圧するアーム部５９ａと、外周に突出されたスイッチング部５９ｂとが一体に設けられている。図９（Ａ）に示すように、スイッチング部５９ｂは、回動レバー５９が回動していない状態では、下方に取り付けられるレバー位置検出スイッチ６０の接片６０ａを押圧して変形させる。これにより、接片６０ａは接点６０ｂに接触するため、レバー位置検出スイッチ６０がオンする。また、回動レバー５９が図９（Ｂ）及び図１０（Ａ）に示すように、回動した場合には、スイッチング部５９ｂによる接片６０ａの押圧が解除されるため、レバー位置検出スイッチ６０がオフされる。
【００３４】
回動レバー５９は、フレーム部材５２の側壁に形成された穴７７を通して突出される付勢レバー６１のボス６１ａにネジ７８で固定され、付勢レバー６１によって回動される。付勢レバー６１は、回動レバー５９と同軸で回動自在とされており、外周に設けたピン６１ｂに掛けられた位置決めバネ７９に付勢されて位置決めされている。また、付勢レバー６１には、放射状に突出された連動アーム６１ｃが一体に設けられており、この連動アーム６１ｃの先端には、駆動側カムギヤ６２に向けて突出された係合ピン６１ｄが一体に形成されている。
【００３５】
駆動側カムギヤ６２は、付勢レバー６１側の端面に係合ピン６１ｃが挿入される凹部６２ａが形成されており、この凹部６２ａ内には回転中に係合ピン６１ｄに当接して押圧し、付勢レバー６１及び回動レバー５９を回動させる扇形のカム片６２ｂが設けられている。駆動側カムギヤ６２の反対側の端面には、リンクピン６２ｃが一体に形成されており、このリンクピン６２ｃは従動側カムギヤ６３の端面に形成された扇形の切欠６３ａに係合する。これら、リンクピン６２ｃと切欠６３ａとが遅延伝達手段を構成している。
【００３６】
搬送モータ６５の回転方向が切り換わると、切欠６３ａとリンクピン６２ｃとが当接するまでの期間だけ駆動側カムギヤ６２の回転は従動側カムギヤ６３に伝達されない。そのため、駆動側カムギヤ６２の回転は従動側カムギヤ６３に遅れて伝達されることになる。駆動側カムギヤ６２は、露光済みのインスタントフイルムをカメラ２外に排出するフイルム排出動作中に、図中時計方向に１回転する。
【００３７】
駆動側カムギヤ６２のリンクピン６２ｃと従動側カムギヤ６３の切欠６３ａとは、図９（Ａ）に示す状態が初期位置となっている。フイルム排出動作では、搬送モータ６５が正転し、駆動側カムギヤ６２が実線の矢印で示す図中時計方向に回転する。この駆動側カムギヤ６２の回転は、リンクピン６２ｃと切欠６３ａとの係合によって従動側カムギヤ６３に伝達され、従動側カムギヤ６３も同方向に回転する。この駆動側カムギヤ６２と従動側カムギヤ６３との回転中の大部分は、回動レバー５９が回動することはないため、レバー位置検出スイッチ６０はオン状態を維持する。
【００３８】
図９（Ｂ）に示すように、駆動側カムギヤ６２と従動側カムギヤ６３との回転が進むと、駆動側カムギヤ６２のカム片６２ｄが付勢レバー６１の係合ピン６１ｄに当接して押圧し、付勢レバー６１と回動レバー５９とを位置決めバネ７９の付勢に抗して図中反時計方向に回動させる。このときの回動レバー５９の回動は、アーム部５９ａがスライドレバー５８から離れる方向への回動であるため、ロックレバー５７がスライドしてパック室蓋２１のロックが解除されることはない。
【００３９】
その後、カム片６２ｂが図９（Ａ）に示す初期位置に移動すると、カム片６２ｂと係合ピン６１ｄとの係合が解除され、回動レバー５９と付勢レバー６１は位置決めバネ７９の付勢によって初期位置に復帰し、レバー位置検出スイッチ６０がオンする。搬送モータ６５は、このレバー位置検出スイッチ６０のオン信号を受けて回転を停止する。なお、フイルム排出動作中に何らかの不良の発生によっって搬送モータ６５が逆転方向に回転しても、駆動側カムギヤ６２の回転は従動側カムギヤ６３にはすぐに伝達されない。そのため、インスタントフイルムがカメラ２内に引き戻される前に、インスタントフイルムを引き抜いたり、電源をオフするなどの対処をとるための時間を得ることができる。
【００４０】
また、パック室蓋開放動作では搬送モータ６５が逆転し、駆動側カムギヤ６２は図９（Ａ）中に破線の矢印で示す反時計方向に回転する。図１０（Ａ）に示すように、この駆動側カムギヤ６２は、回転後すぐにカム片６２ｄで付勢レバー６１の係合ピン６１ｄを押圧し、付勢レバー６１と回動レバー５９とを時計方向に回動させる。
【００４１】
この回動レバー５９の時計方向への回動により、アーム部５９ａはスライドレバー５８の後端を押圧し、ロックレバー５７に向けてスライドさせる。スライドレバー５８の先端５８ｃの斜面に押圧されたロックレバー５７は、ロックバネ７５の付勢に抗して図５に示すロック位置から、図８に示す解除位置にスライドする。これにより、図７（Ａ）に示す係止爪２８による被係止爪２７の係止状態から、同図（Ｂ）に示すように、係止爪２８が被係止爪２７から離れ、傾斜片７３が被係止爪２７をパック室蓋２１を開放する方向に押圧する。
【００４２】
回動レバー５９が回動している状態ではレバー位置検出スイッチ６０はオフするが、回転はそのまま継続され、図１０（Ｂ）に示すように、カム片６２ｂが係合ピン６１ｄを通過して回動レバー５９が初期位置に復帰し、レバー位置検出スイッチ６０が再度オンする。このレバー位置検出スイッチ６０のオン信号を受けて搬送モータ６５は停止する。搬送モータ６５が停止するまでの間、リンクピン６２ｃは切欠６３ａに当接しないため、駆動側カムギヤ６２の回転は従動側カムギヤ６３に伝達されない。これにより、パック室蓋開放動作中に展開ローラは回転せず、フイルム排出時よりも搬送モータ６５に掛かる負荷を低くして電池の消耗を抑えることができる。
【００４３】
なお、搬送モータ６５は、レバー位置検出スイッチ６０のオン信号から一定時間経過後に正転し、カム片６２ｂを図９（Ａ）に示す初期位置に復帰させ、その後に回転を停止する。これにより、パック室蓋開放動作後に駆動側カムギヤ６２は必ず初期位置に復帰する。
【００４４】
図３に示すように、カメラ２は、ＣＰＵやプログラムＲＯＭ，データＲＡＭ等からなるシステムコントローラ８１によって制御されている。ＣＣＤ１０上に結像された被写体光は、ＣＣＤ１０によって光電変換され、画像データ処理部８２に入力される。画像データ処理部６２は、ＣＣＤ１０を制御し、入力された光電信号をＮＴＳＣ信号に変換してＬＣＤパネル３９に入力する。これにより、ＬＣＤパネル３９には、ＣＣＤ１０上に結像されている画像が連続して表示され、ビューファインダとして使用することができる。
【００４５】
レリーズボタン７が操作されると、画像データ処理部８２は、その時点でＣＣＤ１０上に結像されていた画像を専用画像データに変換し、画像演算処理ＩＣ８４に入力する。画像演算処理ＩＣ８４は、入力された画像データを画像メモリ１３に記録する。なお、画像データをメモリカード１４に記録する場合には、画像演算処理ＩＣ８４にて専用画像データが汎用画像データに変換され、画像データ処理部８２をインターフェースとしてメモリカード１４に記録される。
【００４６】
コントロールパネル４４のプリントボタン４２が操作されると、画像演算処理ＩＣ８４は、専用画像データをプリントデータに変換し、プリントデータ処理部８６に入力する。プリントデータ処理部８６は、入力されたプリントデータを各色データに分解し、各色データを各ラインデータに分解し、階調単位でプリントヘッド３１に入力する。
【００４７】
次に、上記実施形態の作用について、図１１〜図１５のフローチャートを参照して説明する。図２に示すコントロールパネル４４の電源スイッチ４２を操作すると、カメラ２の電源がオンする。図３に示すシステムコントローラ８１は、パック室蓋開閉検出スイッチ３４の検出信号を参照し、パック室蓋２１の状態を把握する。パック室蓋２１が閉じ位置にある場合には、パック室２５内のフイルムパック２４の有無に関わらず、カメラモードとプリンタモードとのいずれを選択するかをＬＣＤパネル３９に表示し、ユーザに切り換え操作を促す。
【００４８】
パック室蓋２１が開放位置にある場合には、「フタを閉じてください」というメッセージをＬＣＤパネル３９に表示し、ユーザにパック室蓋２１の閉じ操作を促す。パック室蓋開閉検出スイッチ３４からパック室蓋２１が閉じられたことを示す検出信号が入力されると、システムコントローラ８１はフイルムパック検出スイッチ３５の検出信号を参照し、パック室２５内のフイルムパック２４の有無を検出する。
【００４９】
システムコントローラ８１は、パック室蓋２１が閉じ位置に移動した後にフイルムパック２４を検出した場合に、未使用のフイルムパック２４がパック室２５内に装填されたと認識し、フイルムパック２４の露光開口を内部から塞いでいる薄板状のフイルムカバーの排出動作を実行する。
【００５０】
図１２示すように、フイルムカバーの排出動作では、インスタントフイルムの排出動作と同じ動作によって実施される。システムコントローラ８１は、モータドライバ８８を制御して搬送モータ６５を正転させる。搬送モータ６５の回転は複数の減速用のギヤを介してクロー機構と展開ローラとに伝達される。
【００５１】
クロー機構は、クロー爪を排出方向に移動させてフイルムパック２４内に挿入し、フイルムカバーの下端を押圧する。押圧されたフイルムカバーは、フイルムパック２４内を移動して排出口２４ｂから送り出され、排出通路５５に進入する。排出通路５５内では、一対の展開ローラがフイルムカバーを排出する方向に回転しており、フイルムカバーの先端は展開ローラに挟み込まれて排出ドア１６に向けて搬送される。排出ドア１６は、フイルムカバーに押圧されて開放し、フイルムカバーの先端がカメラ２外に突出する。その後、フイルムカバーを排出ドア１６から引き抜くと、フイルムカバーの排出が完了する。
【００５２】
なお、排出通路５５内に組み込まれたフイルム検出スイッチ７０は、排出中のフイルムカバーを検出し、この検出信号をシステムコントローラ８１に入力する。システムコントローラ８１は、フイルムカウンタ７１にリセット信号を入力する。フイルムカウンタ７１は、リセット信号によってインスタントフイルムの残枚数１０をセットする。
【００５３】
また、フイルムカバーの排出中に、図６，図９に示すように、駆動側カムギヤ６２が図中時計方向に回転し、この回転がリンクピン６２ｃと切欠６３ａとの係合によって従動側カムギヤ６３に伝達される。駆動側カムギヤ６２は、カム片６２ｂで係合ピン６１ｄを押圧し、位置決めバネ７９の付勢に抗して回転レバー５９を反時計方向に回動させる。これにより、スイッチング部５９ｂによる接片６０ａの押圧が解除され、レバー位置検出スイッチ６０がオフする。
【００５４】
システムコントローラ８１は、フイルムカバーの排出動作開始から内蔵するタイマーで１秒をカウントし、その後にレバー位置検出スイッチ６０の検出信号を監視する。そして、レバー位置検出スイッチ６０の検出信号が再度オンした時点で、搬送モータ６５の回転を停止する。これにより、駆動側カムギヤ６２と従動側カムギヤ６３は、図９（Ａ）に示す初期位置で停止される。なお、システムコントローラ８１が排出動作開始の１秒後からレバー位置検出スイッチ６０の検出信号を監視するのは、駆動側カムギヤ６２と従動側カムギヤ６３との停止位置がずれている場合を考慮し、誤動作の発生を防止するためである。
【００５５】
カメラ２で撮影を行う場合には、コントロールパネル４４の切り換えダイヤル４１を操作して、カメラ２のモードをカメラモードに切り換える。カメラ２は、右手でグリップ部６を握持して、撮像窓８を被写体に向けて構える。撮影レンズ９を透過してＣＣＤ１０に結像された画像は、画像データ処理部８２にてＮＴＳＣ信号に変換され、ＬＣＤパネル３９に入力される。ＬＣＤパネル３９には、ＣＣＤ１０で撮像されている画像がリアルタイムに表示される。
【００５６】
撮影者は、ＬＣＤパネル３９または光学ファインダを利用してフレーミングを行う。フレーミングの決定後にレリーズボタン７を操作すると、レリーズスイッチ１２がオンし、ＣＣＤ１０に撮像されていた画像が画像データ処理部８２にて専用画像データに変換される。
【００５７】
なお、画像メモリ１３とメモリカード１４とのいずれに画像データを記録するかは、コントロールパネル４４の各種操作ボタンの設定により予め決定されている。画像メモリ１３に記録するように設定されている場合には、画像データ処理部８２にて変換された専用画像データが、画像演算処理ＩＣ８４を介して画像メモリ１３に記録される。また、メモリカード１４に記録するように設定されている場合には、専用画像データが画像演算処理ＩＣ８４にて汎用画像データに変換され、画像データ処理部８２を介してメモリカード１４に記録される。
【００５８】
プリントを行う場合には、図２に示すように、パック室蓋２１が下面となるようにカメラ２を安定した場所に載置する。その後、切り換えダイヤル４１を操作してカメラ２をプリントモードに移行させ、コントロールパネル４４の操作ボタンの操作により、ＬＣＤパネル３９に画像メモリ１３あるいはメモリカード１４から読み出した画像データを表示させる。画像メモリ１３あるいはメモリカード１４から読み出された画像データは、画像データ処理部８２にてＮＴＳＣ信号に変換され、ＬＣＤパネル３９に表示される。
【００５９】
プリントする画像データが決定した場合には、その画像データをＬＣＤパネル２５に表示させた状態でプリントボタン４２を押下する。システムコントローラ８１は、フイルムカウンタ７１のカウント値を確認し、インスタントフイルムの残枚数が無い場合には、ＬＣＤパネル３９に「フイルムがありません」というメッセージを表示して、ユーザに新たなフイルムパック２４の装填を促す。また、インスタントフイルムがある場合には、画像演算処理ＩＣ８４にて画像データからプリントデータを生成し、このプリントデータをプリントデータ処理部８６に入力する。
【００６０】
プリントデータ処理部８６は、画像演算処理ＩＣ８４から入力されたプリントデータからプリントヘッド３１を駆動する駆動データを生成する。プリントヘッド３１は、フイルムユニットの最下端部に対面する初期位置にあり、この位置が最初の１ライン分の記録位置となっている。図示しないフォトセンサなどにより、プリントヘッド３１が初期位置にあることがシステムコントローラ８１によって確認されると、プリントデータ処理部８６はプリントデータを各色データと、各ラインデータとからなる駆動データに変換し、階調単位でプリントヘッド３１に入力する。プリントヘッド３１は、入力された駆動データに合わせて発光する。
【００６１】
プリントヘッド３１では、カラーフィルタの赤色透過域が発光体と液晶アレイとの間に挿入された状態で発光体が発光し、液晶アレイがプリントするドットパターンと階調とに合わせて動作する。これにより、赤色プリント光がインスタントフイルムの露光面に照射され、露光される。
【００６２】
こうして１ライン分の赤色プリントが完了すると、ステッピングモータからなる走行用モータが一定角度回転してプリントヘッド３１を次ライン位置に移動させる。続いてプリントデータ処理部８６から第２ライン目の赤色濃度に対応した駆動データがプリントヘッド３１に転送され、同様にして２ライン目の赤色プリント光による露光が行われる。以降、プリントヘッド３１を展開ローラ側にステップ送りしながらラインごとに赤色プリント光による露光が行われる。
【００６３】
赤色プリントが完了すると、システムコントローラ８１はプリントヘッド３１にフィルタ切り替え信号を送る。カラーフィルタは、プリントヘッド３１内で移動してプリント光路内に緑色透過域を挿入する。プリントデータ処理部８２は、プリントデータの最終ラインの緑色に相当する部分をプリントヘッド３１に転送する。以後、赤色プリントと同様に緑色プリント光による緑色プリントが最終ライン位置から最初の１ライン位置に向かって行われる。緑色プリントが終了した後は、カラーフィルタの青色透過域がプリント光路内に挿入され、同様にして青色プリント光による青色プリントが行われる。
【００６４】
３色の露光が終了すると、システムコントローラ８１からの信号により搬送モータ６５が正転駆動を開始し、前述したフイルムカバーの排出と同様に、露光済みインスタントフイルムの排出が行われる。搬送モータ６５の回転は、複数の減速用のギヤを介してクロー機構と展開ローラとに伝達される。クロー機構は、クロー爪を排出方向に移動させてフイルムパック２４内に挿入し、露光開口に対面しているインスタントフイルムの下端を押圧する。
【００６５】
押圧されたインスタントフイルムは、フイルムパック２４内を移動して排出口２４ｂから排出通路５５に進入する。排出通路５５に送り込まれたインスタントフイルムユニットは、一対の展開ローラに先端を挟み込まれて排出ドア１６に向けて搬送される。その際に、展開ローラによる押圧によってポッド部が裂開され、内包する現像液が露光面に流し込まれる。また、展開ローラはインスタントフイルムの全域を均等な力で押圧し、現像液を露光面の全域に展延する。展延後に余った現像液は、トラップ部にて吸収される。
【００６６】
フイルム検出スイッチ７０は、排出通路５５内でインスタントフイルムを検出し、この検出信号をシステムコントローラ８１に入力する。システムコントローラ８１は、フイルムカウンタ７１に減算信号を入力する。フイルムカウンタ７１は、減算信号に応じてインスタントフイルムの残枚数を９にセットする。
【００６７】
駆動側カムギヤ６２と、従動側カムギヤ６３とは、カム片６２ｂと回転レバー５９とレバー位置検出スイッチ６０との作用により、図９（Ａ）に示す初期位置に復帰し、同位置で搬送モータ６５の回転が停止される。展開ローラで搬送されたインスタントフイルムは、カメラボディ上面の排出ドア１６から排出され、所定時間の経過後に被写体画像がポジ画像として受像シートに定着され、プリントボタン４２を操作した時点でＬＣＤパネル３９に表示されていた被写体画像をハードコピーとして得ることができる。
【００６８】
なお、何らかの不良や不具合の発生によって、フイルム排出動作中に搬送モータ６５が逆転することもありえるが、回転方向が切り換わる際には、駆動側カムギヤ６２の回転は従動カムギヤ６３に遅れて伝達されるため、展開ローラが逆転してインスタントフイルムをカメラ２内に引き戻すことはない。そのため、展開ローラが逆転するまでの間に、インスタントフイルムをカメラ２から引き抜いたり、電源をオフするなどの対処をとることができるので、インスタントフイルムがカメラ２内に詰まってしまうことはない。
【００６９】
以上のようにして撮影とプリントを行っている間に、ユーザが誤ってパック室蓋２１を開放する開放ボタン２２を操作してしまうことがある。図１４示すように、開放ボタン２２が押圧操作されると、パック室蓋開放スイッチ２３がオンし、操作信号がシステムコントローラ８１に入力される。システムコントローラ８１は、内蔵するタイマーで５秒のカウントを行い、パック室蓋開放スイッチ２３が５秒以上の間連続してオンしている場合にのみパック室蓋開放動作を実施する。これにより、誤って開放ボタン２２が操作されてもパック室蓋２１が不用意に開放されることはない。
【００７０】
開放ボタン２２が５秒以上押圧された場合に、システムコントローラ８１はフイルムパック検出スイッチ３５の検出信号を参照し、パック室２５内のフイルムパック２４の有無を把握する。パック室２５にフイルムパック２４が無い場合には、システムコントローラ８１はパック室蓋開放動作を実行する。また、パック室２５にフイルムパック２４が存在している場合には、フイルムカウンタ７１のカウント値をチェックしてインスタントフイルムの有無を確認する。その結果、インスタントフイルムが残っていない場合には、パック室蓋開放動作を実行し、インスタントフイルムが残っている場合には、ＬＣＤパネル３９に「フイルムが残っています」というメッセージを表示して、ユーザに誤操作であることを知らせる。
【００７１】
図１５に示すように、パック室蓋開放動作では、搬送モータ６５がフイルム排出動作とは逆方向に回転される。図１０（Ａ）に示すように、駆動側カムギヤ６２は図中反時計方向に回転し、回転開始後すぐにカム片６２ｂを係合ピン６１ｄに当接させて押圧する。これにより、付勢レバー６１と回転レバー５９とが位置決めバネ７９の付勢に抗して時計方向に回動し、レバー位置検出スイッチ６０がオフする。また、回動レバー５９のアーム部５９ａがスライドレバー５８の後端を押圧するので、図８に示すように、スライドレバー５８がスライドする。スライドしたスライドレバー５８は、先端５８ｃの斜面がロックレバー５７の後端５７ｃを押圧する。
【００７２】
後端５７ｃが押圧されたロックレバー５７は、ロックバネ７５の付勢に抗して矢印方向にスライドする。その際に、図７（ａ）に示すように、パック室蓋２１の被係止爪２７に係止していた係止爪２８が同図（ｂ）に示すように、被係止爪２７から離れる方向に移動し、傾斜片７３が被係止爪２７を押圧する。これにより、パック室蓋２１のロックが解除され、パック室蓋２５を開放することができる。また、回動レバー５９がスライドレバー５８を押圧している状態では、レバー位置検出スイッチ６０がオフし、システムコントローラ８１にオフ信号が入力される。
【００７３】
駆動側カムギヤ６２の回転が進むとカム片６２ｂが係合ピン６１ｄを通過し、図１０（Ｂ）に示すように、回動レバー５９が位置決めバネ７９の付勢によって初期位置に復帰する。この時に、レバー位置検出スイッチ６０がオンしてシステムコントローラ８１にオン信号を入力する。システムコントローラ８１は、レバー位置検出スイッチ６０のオン信号を受けて搬送モータ６５の逆転を停止する。パック室蓋２１が開放する間、リンクピン６２ｃは切欠６３ａに係合しないため、駆動側カムギヤ６２の回転は従動側カムギヤ６３には伝達されず、展開ローラも回転することはない。これにより、搬送モータ６５に掛かる負荷をフイルム排出時よりも低くすることができる。
【００７４】
また、回動レバー５９の初期位置への復帰にともない、ロックバネ７５の付勢によってロックレバー５７が図５に示すロック位置に復帰するが、パック室蓋２１の軸着されている下端付近は、板バネ等によって開放方向に付勢されているため、ロックレバー５７がロック位置に復帰する際に傾斜片７３からの押圧が解除されても、被係止爪２７が係止爪２８に噛合する方向にまで入り込むことはなく、パック室蓋２１のロック解除状態が維持される。
【００７５】
搬送モータ６５の回転停止からタイマーで１秒カウントした後に、システムコントローラ８１は搬送モータ６５を正転させる。これにより、駆動側カムギヤ６２が図１０（Ａ）中において時計方向に回転する。駆動側カムギヤ６２の回転開始後すぐに、カム片６２ｂが係合ピン６１ｄに当接して押圧し、付勢レバー６１と回転レバー５９とを位置決めバネ７９の付勢に抗して反時計方向に回動させる。レバー位置検出スイッチ６０は再度オフする。
【００７６】
駆動側カムギヤ６２の回転が進むとカム片６２ｂが係合ピン６１ｄを通過し、図９（Ａ）に示すように、回動レバー５９が位置決めバネ７９の付勢によって初期位置に復帰する。この時に、レバー位置検出スイッチ６０がオンしてシステムコントローラ８１にオン信号を入力する。システムコントローラ８１は、レバー位置検出スイッチ６０のオン信号を受けて搬送モータ６５の逆転を停止する。これにより、駆動側カムギヤ６２は初期位置に復帰する。
【００７７】
なお、パック室蓋開放動作において、搬送モータ６５の回転開始から、レバー位置検出スイッチ６０の検出信号を得るまでの間に１秒のカウントを行っているのは、駆動側カムギヤ６２と従動側カムギヤ６３の回転開始時の位置ずれ等による誤動作を防止するためである。そのため、駆動側カムギヤ６２と従動側カムギヤ６３との位置ずれが発生しにくい機構を設ければ、１秒のカウントを省略することができる。
【００７８】
パック室蓋２１の開放後には、パック室２５に未使用のフイルムパック２４を装填してプリントを行うことができる。プリントを行わずに撮影のみを行う場合には、パック室蓋２１を閉じて撮影モードに移行することができる。なお、パック室蓋２１の被係止爪２７と、ロックレバー５７の係止爪２８との当接部分には、ロックレバー５７を解除位置に向けてスライドさせる作用が得られる傾斜面が形成されているので、パック室蓋２１を閉じ位置に押圧するだけで被係止爪２７と係止爪２８との係止が行われる。
【００７９】
上記実施形態では、プリンタ内蔵型電子スチルカメラを例に説明したが、電子スチルカメラの機能が組み込まれていない、インスタントフイルムを使用するプリンタにも本発明を実施することができる。また、従来のインスタントカメラにも利用することができる。
【００８０】
更に、インスタントフイルムを使用するプリンタ以外に、感光紙や、紫外線による定着性を有する感熱記録紙等の感光材料を使用するプリンタにも本発明を適用することができる。また、パック室蓋を誤開放する際にＬＣＤパネルでエラーメッセージを表示するようにしたが、このエラーメッセージと同時に警告音等を鳴らしてもよい。更に、パック室内にフイルムユニットが残っている場合にはパック室蓋を開放できないようにしたが、メンテナンスや修理のために、フイルムユニットが残っている場合でもパック室蓋を開放できるようにしてもよい。
【００８１】
【発明の効果】
以上説明したように、本発明のプリンタは、収納室内に感光材料が残っている場合に蓋部材を開放できないようにしたので、感光材料が露光されて使用できなくなるのを防止することができる。
【００８２】
また、現像手段を駆動する搬送モータの現像時とは別方向への回転を利用して蓋開閉機構を動作させるようにしたので、部品点数を増加させずにローコストに機能向上を測ることができる。
【図面の簡単な説明】
【図１】本発明を実施したプリンタ内蔵型電子スチルカメラを前面側から見た外観斜視図である。
【図２】プリンタ内蔵型電子スチルカメラを背面側から見た外観斜視図である。
【図３】プリンタ内蔵型電子スチルカメラの構成を概略的に閉めずブロック図である。
【図４】パック室蓋開放時のプリンタ内蔵型電子スチルカメラの外観斜視図である。
【図５】フレーム部材の外観形状を示す斜視図である。
【図６】蓋開閉機構の構成を示す分解斜視図である。
【図７】パック室蓋のロック状態と解除状態とを示す要部断面図である。
【図８】ロック位置にあるロックレバーとスライドレバーとの状態を示す説明図である。
【図９】蓋開閉機構の初期状態と、フイルム排出時の状態とを示す説明図である。
【図１０】蓋開閉機構のパック室蓋開放時の状態を示す説明図である。
【図１１】プリンタ内蔵型電子スチルカメラの全体的な動作順序を示すフローチャートである。
【図１２】フイルム排出動作の順序を示すフローチャートである。
【図１３】プリンタモードの動作順序を示すフローチャートである。
【図１４】パック室蓋の開放の可否の識別手順を示すフローチャートである。
【図１５】パック室蓋開放動作の順序を示すフローチャートである。
【符号の説明】
２  プリンタ内蔵型電子スチルカメラ
２１  パック室蓋
２２  開放ボタン
２３  パック室蓋開放スイッチ
２４  フイルムパック
２５  パック室
２７  被係止爪
２８  係止爪
３４  パック室蓋開閉検出スイッチ
３５  フイルムパック検出スイッチ
５７  ロックレバー
５８  スライドレバー
５９  回動レバー
６０  付勢レバー
６２  駆動側カムギヤ
６３  従動側カムギヤ
【図１】
0004041257.tif 000002
【図２】
0004041257.tif 000003
【図３】
0004041257.tif 000004
【図４】
0004041257.tif 000005
【図５】
0004041257.tif 000006
【図６】
0004041257.tif 000007
【図７】
0004041257.tif 000008
【図８】
0004041257.tif 000009
【図９】
0004041257.tif 000010
【図１０】
0004041257.tif 000011
【図１１】
0004041257.tif 000012
【図１２】
0004041257.tif 000013
【図１３】
0004041257.tif 000014
【図１４】
0004041257.tif 000015
【図１５】
0004041257.tif 000016